(57)【要約】  本発明は端末、HSS及びコア・ネットワークエレメントによる端末能力の取得方法とシステムを開示しており、そのうち、コア・ネットワークエレメントによる端末能力の取得方法は、IPマルチメディアサブシステム（IMS）の登録過程中及び/又はIMSの登録過程の後に、ホーム加入者サーバ（HSS）が端末（UE）の能力情報をIMSネットワークエレメントに通知することを含む。本発明はHSSに端末能力情報を取得させ、ユーザの種々の業務にサービスを提供できる。【選択図】図３
2013528993.tif 000002
【特許請求の範囲】
【請求項１】
コア・ネットワークエレメントによる端末能力の取得方法であって、
IPマルチメディアサブシステム（IMS）の登録過程中及び/又はIMSの登録過程の後に、ホーム加入者サーバ（HSS）が端末（UE）の能力情報をIMSネットワークエレメントに通知する
ことを含む方法。
【請求項２】
IMS登録過程中に、HSSがUEの能力情報をIMSネットワークエレメントに通知するステップは、
IMS登録過程中に、HSSがUEの能力情報をサーバー登録応答によってサービングコールセッション制御機能（S-CSCF）に送信し、前記S-CSCFによって前記UEの能力情報をアクセストランスファー制御機能実体（ATCF）に送信することを含む請求項1に記載の方法。
【請求項３】
前記HSSがUEの能力情報をサーバー登録応答によってS-CSCFに送信するステップは、
前記HSSはS-CSCFが送信したサーバー登録要求を受信した後、UEの能力情報をサーバー登録応答メッセージに置かせてS-CSCFに送信すること、或いは、
前記HSSはS-CSCFが送信したサーバー登録要求を受信した後、ユーザがSRVCC契約を持っていると判断した後、UEの能力情報をサーバー登録応答メッセージに置かせてS-CSCFに送信することを含む請求項2に記載の方法。
【請求項４】
S-CSCFによって前記UEの能力情報をATCFに送信するステップは、
前記S-CSCFはHSSが送信したUE能力情報付きサーバー登録応答メッセージを受信した後、ATCFに登録応答メッセージを送信し、且つ前記登録応答メッセージに前記UEの能力情報を備えること、或いは、
前記S-CSCFは通知メッセージによって前記UEの能力情報をATCFに送信することを含む請求項3に記載の方法。
【請求項５】
前記S-CSCFは通知メッセージによってUEの能力情報をATCFに送信するステップは、
前記ATCFはS-CSCFにUE能力への購読を発起し、前記S-CSCFがATCFに送信する購読通知メッセージにおいてUEの能力情報を備えることを含む請求項4に記載の方法。
【請求項６】
IMS登録過程中とIMS登録過程の後に、HSSがUEの能力情報をIMSネットワークエレメントに通知するステップは、
IMS登録過程中に、HSSがUEの能力情報をサーバー登録応答によってS-CSCFに送信することと、前記S-CSCFが前記UEの能力情報を取得した後、IMS登録過程が終わった後、前記UEの能力情報を業務連続性アプリケーションサーバ（SCC AS）に送信することを含む請求項1に記載の方法。
【請求項７】
前記S-CSCFがUEの能力情報をSCC ASに送信するステップは、前記S-CSCFが第三者登録過程によってUEの能力情報をSCC ASに送信することを含む請求項6に記載の方法。
【請求項８】
IMS登録過程の後に、HSSがUEの能力情報をIMSネットワークエレメントに通知するステップは、
IMS登録過程が終わった後、HSSが業務連続性アプリケーションサーバ（SCC AS）の更新応答メッセージによって前記UEの能力情報をSCC ASに送信すること、或いは
IMS登録過程が終わった後、HSSが通知メッセージによって前記UEの能力情報をSCC ASに送信することを含む請求項1に記載の方法。
【請求項９】
前記HSSが通知メッセージによってUEの能力情報をSCC ASに送信するステップは、
前記SCC ASはHSSにUE能力への購読を発起し、前記HSSがSCC ASに送信する購読通知メッセージにおいてUEの能力情報を備えることを含む請求項8に記載の方法。
【請求項１０】
前記UEの能力情報はUEの単一無線音声通信連続（SRVCC）の能力を含む請求項1〜9にいずれかの記載の方法。
【請求項１１】
コア・ネットワークエレメントによる端末能力の取得方法であって、
ロングタームエボリューション/システムアーキテクチャエボリューション（LTE/SAE）のアタッチ過程において、端末（UE）が自分の能力情報を移動性管理実体（MME）に報告し、ホーム加入者サーバ（HSS）が前記MMEから前記UEの能力情報を取得する
ことを含む方法。
【請求項１２】
前記HSSが前記MMEから前記UEの能力情報を取得するステップは、
前記MMEはUEが送信したUE能力情報付きアタッチ要求を受信した後、HSSに送信する位置更新要求において前記UEの能力情報を備えること、或いは前記HSSはMMEにアタッチ応答を返信した後、MMEにクエリーメッセージを送信し、MMEが前記HSSに返事するクエリー応答において前記UEの能力情報を備えることを含む請求項11に記載の方法。
【請求項１３】
前記HSSはIPマルチメディアサブシステム（IMS）登録過程中及び/又はIMS登録過程の後に、前記UEの能力情報をIMSネットワークエレメントに通知する請求項11又は12に記載の方法。
【請求項１４】
前記IMSネットワークエレメントはアクセストランスファー制御機能実体（ATCF）及び/又は業務連続性アプリケーションサーバ（SCC AS）を含む請求項13に記載の方法。
【請求項１５】
前記UEの能力情報はUEの単一無線音声通信連続（SRVCC）能力を含む請求項11、12又は14に記載の方法。
【請求項１６】
判断モジュールと情報通知モジュールを備えるホーム加入者サーバ（HSS）であって、
前記判断モジュールはIPマルチメディアサブシステム（IMS）登録過程中或いはIMS登録過程の後に前記情報通知モジュールをトリガーすることを判断するように設置されており、
前記情報通知モジュールは端末（UE）の能力情報をIMSネットワークエレメントに通知するように設置されているサーバ。
【請求項１７】
ホーム加入者サーバ（HSS）と端末（UE）を備えるコア・ネットワークエレメントによる端末能力の取得システムであって、
前記UEはロングタームエボリューション/システムアーキテクチャエボリューション（LTE/SAE）アタッチ過程中において、自分の能力情報をMMEに報告するように設置されており、
前記HSSは前記MMEから前記UEの能力情報を取得するように設置されているシステム。
【請求項１８】
判断モジュールと能力報告モジュールを備える端末であって、
前記判断モジュールはロングタームエボリューション/システムアーキテクチャエボリューション（LTE/SAE）アタッチ過程中に、前記能力報告モジュールをトリガーすることを判断するように設置されており、
前記能力報告モジュールは移動性管理実体（MME）に自分の能力情報を報告するように設置されている端末。
【請求項１９】
端末（UE）、ホーム加入者サーバ（HSS）及びIPマルチメディアサブシステム（IMS）ネットワークエレメントを備えるコア・ネットワークエレメントによる端末能力の取得システムであって、
前記端末はロングタームエボリューション/システムアーキテクチャエボリューション（LTE/SAE）アタッチ過程中において、自分の能力情報を移動性管理実体（MME）に報告するように設置されており、
前記HSSは移動性管理実体（MME）からUEの能力情報を取得し、及びIMS登録過程中及び/又はIMS登録過程の後に、前記UEの能力情報をIMSネットワークエレメントに通知するように設置されているシステム。
【請求項２０】
前記IMSネットワークエレメントはアクセストランスファー制御機能実体（ATCF）及び/又は業務連続性アプリケーションサーバ（SCC AS）を備える請求項19に記載のシステム。
【請求項２１】
前記IMSネットワークエレメントはさらにサービングコールセッション制御機能（S-CSCF）を備え、
前記HSSはIMS登録過程中において、UEの能力情報をサーバー登録応答によって前記S-CSCFに送信するようにさらに設置されており、
前記S-CSCFは前記UEの能力情報をアクセストランスファー制御機能実体（ATCF）に送信するように設置されている請求項20に記載のシステム。
【請求項２２】
前記HSSは前記UEの能力情報をサーバー登録応答メッセージに置かせてS-CSCFに送信するようにさらに設置されており、或いは、
前記HSSはユーザがSRVCC契約を持っていると判断した時、前記UEの能力情報をサーバー登録応答メッセージに記憶してS-CSCFに送信するようにさらに設置されている請求項21に記載のシステム。
【請求項２３】
前記S-CSCFは前記UEの能力情報を登録応答メッセージによってATCFに送信するようにさらに設置されており、或いは、
前記ATCFはS-CSCFにUE能力への購読を発起するように設置されており、
前記S-CSCFは前記ATCFの購読を受信した後、ATCFに送信する購読通知メッセージにおいてUEの能力情報を備えるようにさらに設置されている請求項22に記載のシステム。
【請求項２４】
前記HSSはIMS登録過程中に、前記UEの能力情報をサーバー登録応答によってS-CSCFに送信するようにさらに設置されており、
前記S-CSCFは前記UEの能力情報を取得した後、IMS登録が終わった後、第三者登録過程によって前記UEの能力情報をSCC ASに送信するように設置されている請求項20に記載のシステム。
【請求項２５】
前記HSSはIMS登録過程が終わった後、SCC ASの更新応答メッセージによって前記UEの能力情報をSCC ASに送信するようにさらに設置されており、或いは、
前記SCC ASはHSSにUE能力への購読を発起するように設置されており、
前記HSSは前記SCC ASの購読を受信した後、SCC ASに送信する購読通知メッセージにおいてUEの能力情報を備えるようにさらに設置されている請求項20に記載のシステム。
【請求項２６】
前記UEの能力情報はUEの単一無線音声通信連続（SRVCC）能力を備える請求項19〜25のいずれかに記載のシステム。
【発明の詳細な説明】
【技術分野】
【０００１】
本発明は通信分野に関し、特に端末、HSS及びコア・ネットワークエレメントによる端末能力の取得方法とシステムに関する。
【背景技術】
【０００２】
第2世代（the 2nd Generation、2Gと略称する）と第3世代（the 3rd Generation、3Gと略称する）の移動通信ネットワーク、例えばモバイル通信用グローバルシステム（Global System for Mobile communications、GSMと略称する）とユニバーサル移動体通信システム（Universal Mobile Telecommunications System、UMTSと略称する）は、回線交換（Circuit Switching、CSと略称する）方式を採用して音声業務を提供し、且つ良いカバレッジエリアを形成する。
【０００３】
無線アクセスネットワークがパケットスイッチングへ発展することは、無線アクセスネットワークがパケットスイッチング（Packet Switching、PSと略称する）ネットワークによって音声及びほかの業務を負い、且つIPマルチメディアサブシステム（IP Multimedia Network Subsystem、IMSと略称する）に直接にアクセスし、IMSによって音声業務を含む通信業務を提供するようになる。多種の高速なブロードバンドモバイルアクセス方式の出現にしたがって、モバイル通信標準化機構はロングタームエボリューション/システムアーキテクチャエボリューション（Long Term Evolution/ System Architecture Evolution、LTE/SAEと略称する）と呼ばれる次の世代のネットワークアーキテクチャを提出し、LTE/SAEが進化パケットネットワークの通用表現方式であり、その中、LTEが無線側を指し、SAEがコアネットワーク側を指す。該ネットワークアーキテクチャは進化した無線通信システムにより高い伝送速度、より短い伝送遅延、且つより低いコストを提供でき、同時に第3世代パートナーシッププロジェクト（3rd Generation Partnership Project、3GPPと略称する）内部アクセスシステムの間の移動性、及び3GPPアクセスシステムと非3GPPアクセスシステムとの間の移動性などを支援する。
【０００４】
無線ブロードバンド技術の発展、及びインターネット・プロトコル（Internet Protocol、IPと略称する）技術の発展にしたがって、ネットワーク全体は全IPの方向に進化し、通信ネットワークのコアネットワークはIMSに進化する。
【０００５】
IMSは3GPPが提供するIPに基づくネットワークアーキテクチャであり、オープンで柔軟な業務環境を構築し、アクセスにもかかわらず、マルチメディア応用を支持でき、ユーザに豊富なマルチメディア業務を提供できる。
【０００６】
IMS業務システムにおいて、制御層と業務層が分離し、制御層が具体的な業務を提供せず、業務層に必要なトリガー、ルータ及び課金などの機能しかを提供しない。制御層において業務トリガーと制御機能はコールセッション制御機能（Call Session Control Function、CSCFと略称する）によって完成され、CSCFは代理CSCF（Proxy-CSCF、P-CSCFと略称する）、問い合わせCSCF（Interrogating-CSCF、I-CSCFと略称する）及びサービングCSCF（Serving-CSCF、S-CSCFと略称する）という3つのタイプに分けられ、そのうち主な責任を負うのはS-CSCFであり、Interrogatingタイプは選択可能である。業務層はシリーズのアプリケーションサーバ（Application Server、ASと略称する）からなり、具体的な業務サービスを提供できる。ASは独立したエンティティであってもよく、S-CSCFに存在することもできる。制御層S-CSCFはユーザの契約情報によって業務トリガーを制御し、ASにおける業務を呼び出して業務機能を実現する。ASとS-CSCFは、まとめてサービス装置（Server Equipment、SE略称する）と呼ばれてもよい。セッションの端から端までの装置はユーザ装置（User Equipment、UEと略称する）或いは端末と呼ばれ、ユーザとのセッションを担当する。あるUEは、3GPPのPSドメインによってネットワークにアクセスし、ほかの非3GPPのデータドメインによってネットワークにアクセスし、さらにCSドメインによってネットワークにアクセスするなどを含む多種なネットワークにアクセスする方式を有する。したがって、CSネットワークとPSネットワーク（LTE/SAEを含む）はいずれもIMSネットワークの1種のアクセス手段として使用することができ、ユーザはLTE/SAE或いはCSによって、IMSセッションを確立でき、IMSによって各類の業務制御を提供し、LTE/SAE或いはCSによってユーザにネットワークのアクセスを提供する。UEがIMSによって各種セッション要求を確立する時、UEとIMSネットワークにおける各エンティティは標準的なセッションを使用してプロトコル（Session Initiation Protocol、SIPと略称する）通信を発起する。
【０００７】
UEがLTE/SAEカバレッジエリアにアクセスして音声サービスを行う時、該UEはIMSに直接にアクセスし、リモートユーザとIMSセッションを確立する。無線スペクトル干渉などの制限によって、UEは同時にLTE/SAEと2G/3GのCSネットワークにアクセスすることができないため、ユーザが前記LTE/SAEカバレッジエリアドメインから離れる時、音声サービスの連続性を保証するために、ネットワーク側はユーザのセッションをCSネットワークに切り替える。このようなリモートの切り替え、更新過程は長い一方で、UEがローカルで切り替えてネットワークにアクセスする過程は短い。これらの2つの過程は並行して起こると、同期させることが難しいため、このようなユーザ切替の音声中断時間が長い。このような切替は単一無線音声通信連続（Single Radio Voice Call Continuity、SRVCCと略称する）と呼ばれる。
【０００８】
SRVCCのシーンに対して、即ちSRVCC契約を持っているユーザがSRVCC能力を有する端末を使用する時、セッションのシグナル部分が現在駐在するネットワークのアクセストランスファー制御機能実体（Access Transfer Control Function、ATCFと略称する）にアンカーし、メディアはアクセストランスファー制御機能実体がコントロールするアクセスゲートウェイ（Access Gateway、AGWと略称する）にアンカーし、ATCF/AGWをアンカーポイントとして切替の発生を制御し、切替過程においてリモート更新過程が長すぎることによって引き起こった音声中断を短縮でき、ユーザ体験を向上させる。
【０００９】
図1はUEがLTE/SAEネットワークによってリモートとIMS音声セッションを確立するアーキテクチャ図であり、各ネットワークエレメントの説明は以下のとおりである。
【００１０】
101、UEはユーザとの相互作用を担当し、且つPS/CSなどの異なるアクセス方式によって、ユーザの代わりにセッションを確立し、
102、移動性管理実体（Mobility Management Entity、MMEと略称する）は、ユーザ契約データの現在のネットワークでの保管場所であり、端末からネットワークまでの非アクセス層(Non-Access Stratum、NASと略称する)シグナル管理、ユーザのアイドルモードでの追跡、ページング管理機能及びベアラ管理を担当する。
【００１１】
103、サービングゲートウェイ（Serving Gateway、S-GWと略称する）は、コアネットワークから無線システムまでのゲートウェイであり、端末からコアネットワークまでのユーザプレーンベアラを担当し、端末アイドルモードでのデータ・キャッシュ、ネットワーク側がサービス要求を発起する機能、合法的傍受、パケットデータのルーティング及び転送機能を担当する。パケットデータネットワークゲートウェイ（Packet Data Network Gateway、PDN GW或P-GWと略称する）は、進化したパケットシステム（Evolved Packet System、EPS）と該システム外部ネットワークのゲートウェイであり、端末のIPアドレスの割り当て、課金機能、パケットフィルター及び戦略的応用などの機能を担当する。
【００１２】
簡単にするために、S-GW/PDN GWを1つにして説明する。
【００１３】
104、ホーム加入者サーバ（Home Subscriber Server、HSSと略称する）は、ユーザ契約データの永久の保管場所であり、ユーザ契約のホームネットワークに位置する。
【００１４】
105、アクセストランスファー制御機能実体（Access Transfer Control Function、ATCFと略称する）は、UEセッションのシグナル部分をアンカーし、且つアクセスゲートウェイ（Access Gateway、AGW）がユーザセッションのメディア部分をアンカーすることを制御する。
【００１５】
ATCFはロジック機能実体、例えばP-CSCF/インターコネクションボーダー制御機能（Interconnection Border Control Function、IBCFと略称する）などであり、実際の物理的な位置はUEがネットワークLTE/SAEのアクセスによってIMS登録を行う時、シグナル経路におけるあるネットワークエレメントに位置してもよい。
【００１６】
アクセスゲートウェイ（Access Gateway、AGWと略称する）は、ATCFの制御でUEセッションのメディア部分をアンカーすることを担当する。
【００１７】
AGWは、アクセス先の遷移ゲートウェイ（Transition Gateway、TrGWと略称する）、PDN GW、CSドメイン或いはIMSドメインのメディアゲートウェイ（Media Gateway、MGWと略称する）などに位置してもよく、実際の状況に応じて柔軟に配置できる。ここでは全ての状況を多弁しない。
【００１８】
106、コールセッション制御機能（Call Session Control Function、CSCFと略称する）は、Proxy、Interrogating及びServingという3つのタイプに分けられ、そのうち主な責任を担当するのはServing-CSCFであり、Interrogatingタイプは選択可能である。制御層S-CSCFは、ユーザの契約情報によって業務・トリガーを制御し、ASにおける業務を呼び出して業務機能を実現する。
【００１９】
図にはI/S-CSCFを1つにして説明する。
【００２０】
107、業務連続性アプリケーションサーバ（Service Continuity and Consistency Application Server、SCC ASと略称する）は、業務連続性を実現するIMS SIPアプリケーションサーバである。
【００２１】
108、リモートエンド（Remote End）は、UEとIMSセッションを確立し、UEである可能性もあるし、業務を提供するサーバー、例えばストリーミングメディアサーバーなどである可能性もある。ここでは本発明に直接的な関係がないので詳しく説明しない。
【００２２】
図1に示すように、MME/E-UTRAN/SGW/PDN GWはいずれもLTE/SAEネットワークエレメントであり、ATCF/AGW/CSCF/SCC ASはIMSネットワークエレメントである。
【００２３】
UEはLTE/SAEネットワークカバレッジエリア内に位置し、まずEPSアタッチを行い、UE〜進化型ユニバーサル地上無線アクセスネットワーク（Evolved Universal Terrestrial Radio Access Network、E-UTRANと略称する）〜SGW/PDN GWのトンネルを確立し、後継のすべてのIMSシグナルとメディアはいずれも該トンネルによってベアリングされ、IMSネットワークエレメントとの相互作用を行う。
【００２４】
図2は従来のUEがLTE/SAEによってアタッチを行い、その後、IMS登録を実行し、且つ音声セッションを確立する時のセッションアンカーのフローチャートであり、具体的な説明は以下の通りである。
【００２５】
ステップ201、UEは現在駐在するネットワークLTE/SAEにおいて、MMEにEPSアタッチ要求を発起し、アタッチ要求において、UEはMMEに該UEがSRVCC能力を有するかどうかを通知する。
【００２６】
ステップ202、MMEはHSSに位置更新要求を発起する。
【００２７】
ステップ203、HSSはMMEに位置更新応答を返信し、且つ関連するユーザのLTE/SAE契約データを備える。
【００２８】
ステップ204、MMEはUEにアタッチ受取要求を返信する。ここに至って、UEのLTE/SAEにおけるアタッチ過程が終わり、UE〜E-UTRAN〜SGW/PDN GWのトンネルの確立が完了される。
【００２９】
ステップ205、UEは現在駐在するネットワークにおいてIMS登録要求を発起し、登録要求メッセージがATCFに到達し、
ステップ206、ATCFは該ユーザにアクセス先のシングル無線スイッチ番号（Visited Session Transfer Number - Single Radio、vSTN-SRと略称する）を割り当てる。ユーザがSRVCCユーザであるとき、vSTN-SRが後継のユーザの発生可能なSRVCC過程に用いられる。
【００３０】
ステップ207、ATCFは登録要求メッセージをユーザアクセス先のS-CSCFに送信し、且つステップ206に割り当てられたvSTN-SRを備える。該ステップにおける登録要求メッセージはまずユーザのホームのI-CSCFに到達する必要があり、I-CSCFとHSSとの相互作用によって該ユーザをサービスするS-CSCFを確定し、その後I-CSCFによって該登録要求メッセージをS-CSCFにルーティングして処理する。図面と説明を簡素化させるために、ここではI-CSCFとS-CSCFを1つにして説明し、且つHSSの関連過程を省略する。
【００３１】
ステップ208、S-CSCFはHSSにサーバー登録要求を発起し、且つvSTN-SRを備える。
【００３２】
ステップ209、HSSはS-CSCFにサーバー登録応答を返信し、且つ関連するユーザデータを備える。
【００３３】
ステップ210〜211、S-CSCFは登録要求を処理した後、元の経路によってUEに登録応答メッセージを返信する。
【００３４】
ステップ212、S-CSCFはユーザの登録応答メッセージを処理した後、イニシャルフィルタクライテリア（initial Filter Criteria、iFCと略称する）によって、必要があれば、UEの代わりに相応するアプリケーションサーバ（Application Server、ASと略称する）に第三者登録を行う。ユーザがSRVCCユーザであるとき、S-CSCFがUEの代わりにSCC ASに第三者登録を行い、且つステップ207におけるvSTN-SRを備える。
【００３５】
ステップ212a-212b、vSTN-SRはHSSによって過程を促進し、LTE/SAEネットワークエレメント（MME）にダウンロードする。後継のSRVCCのトリガー過程において、LTE/SAEネットワークエレメントによってvSTN-SRをCSネットワークエレメントに伝送し、また、他のルートによって応答するLTE/SAEとCSネットワークエレメントに伝送してSRVCCを実現する。
【００３６】
ステップ213、UEはIMSセッションを発起し、セッション要求はATCFに到達し、UEのセッションメディア記述プロトコル（Session Description Protocol、SDPと略称する）情報、例えばIPアドレス、メディアストリームのエンコーディング形式及びポート番号などを備える。
【００３７】
ステップ214、ATCFはユーザが発起する音声コールのメディア部分をアンカーするかどうかを決定し、或いはユーザホームIMSドメインのネットワークエレメント、例えばS-CSCF及びSCC ASなどと相互作用し、ユーザが発起する音声コールのメディア部分をアンカーするかどうかを決定する。ATCFが該セッションのメディア部分をアンカーすることを決定すると、ATCFは該セッションにAGWを割り当て、メディアをAGWにアンカーする。
【００３８】
ステップ215、ステップ214中の判定結果によって、ATCFがアンカーし或いは該セッションをアンカーし、且つユーザホームドメインIMS及びリモートエンドUEと音声コールを確立する。
【００３９】
ステップ216、ATCFはUEにセッション確立応答を返事する。コールをアンカーし或いはアンカーしないことによって、ステップ216においてリモートエンドUE或いはAGWのSDP情報を備える。
【００４０】
実際の応用過程において、かなりの情況において、ATCFにアンカーするセッション、及びAGWにアンカーする同一セッションのメディアを使用せず、ネットワーク側の資源の浪費を引き起こす。
【発明の概要】
【発明が解決しようとする課題】
【００４１】
本発明が解決しようとする技術問題は端末、HSS及びコア・ネットワークエレメントによる端末能力の取得方法とシステムを提供することにある。
【課題を解決するための手段】
【００４２】
ネットワーク資源の浪費を減少する技術問題を解決するために、本発明は、コア・ネットワークエレメントによる端末能力の取得方法を提供し、該方法は、
IPマルチメディアサブシステム（IMS）の登録過程中及び/又はIMSの登録過程の後に、ホーム加入者サーバ（HSS）が端末（UE）の能力情報をIMSネットワークエレメントに通知することを含む。
【００４３】
本発明の方法において、IMS登録過程中に、HSSがUEの能力情報をIMSネットワークエレメントに通知するステップは、
IMS登録過程中に、HSSがUEの能力情報をサーバー登録応答によってサービングコールセッション制御機能（S-CSCF）に送信し、前記S-CSCFによって前記UEの能力情報をアクセストランスファー制御機能実体（ATCF）に送信することを含む。
【００４４】
本発明の方法において、前記HSSがUEの能力情報をサーバー登録応答によってS-CSCFに送信するステップは、
前記HSSはS-CSCFが送信したサーバー登録要求を受信した後、UEの能力情報をサーバー登録応答メッセージに置かせてS-CSCFに送信すること、或いは、
前記HSSはS-CSCFが送信したサーバー登録要求を受信した後、ユーザがSRVCC契約を持っていると判断した後、UEの能力情報をサーバー登録応答メッセージに置かせてS-CSCFに送信することを含む。
【００４５】
本発明の方法において、S-CSCFによって前記UEの能力情報をATCFに送信するステップは、
前記S-CSCFはHSSが送信したUE能力情報付きサーバー登録応答メッセージを受信した後、ATCFに登録応答メッセージを送信し、且つ前記登録応答メッセージに前記UEの能力情報を備えること、或いは、
前記S-CSCFは通知メッセージによって前記UEの能力情報をATCFに送信することを含む。
【００４６】
本発明の方法において、前記S-CSCFが通知メッセージによってUEの能力情報をATCFに送信するステップは、
前記ATCFはS-CSCFにUE能力への購読を発起し、前記S-CSCFがATCFに送信する購読通知メッセージにおいてUEの能力情報を備えることを含む。
【００４７】
本発明の方法において、IMS登録過程中とIMS登録過程の後に、HSSがUEの能力情報をIMSネットワークエレメントに通知するステップは、
IMS登録過程中に、HSSがUEの能力情報をサーバー登録応答によってS-CSCFに送信することと、前記S-CSCFが前記UEの能力情報を取得した後、IMS登録過程が終わった後、前記UEの能力情報を業務連続性アプリケーションサーバ（SCC AS）に送信することを含む。
【００４８】
本発明の方法において、前記S-CSCFがUEの能力情報をSCC ASに送信するステップは、前記S-CSCFが第三者登録過程によってUEの能力情報をSCC ASに送信することを含む。
【００４９】
本発明の方法において、IMS登録過程の後に、HSSがUEの能力情報をIMSネットワークエレメントに通知するステップは、
IMS登録過程が終わった後、HSSが業務連続性アプリケーションサーバ（SCC AS）の更新応答メッセージによって前記UEの能力情報をSCC ASに送信すること、或いは
IMS登録過程が終わった後、HSSが通知メッセージによって前記UEの能力情報をSCC ASに送信することを含む。
【００５０】
本発明の方法において、前記HSSが通知メッセージによってUEの能力情報をSCC ASに送信するステップは、
前記SCC ASはHSSにUE能力への購読を発起し、前記HSSがSCC ASに送信する購読通知メッセージにおいてUEの能力情報を備えることを含む。
【００５１】
本発明の方法において、前記UEの能力情報はUEの単一無線音声通信連続（SRVCC）の能力を含む。
【００５２】
ネットワーク資源の浪費を減少する技術問題を解決するために、本発明はさらにコア・ネットワークエレメントによる端末能力の取得方法を提供し、該方法は、
ロングタームエボリューション/システムアーキテクチャエボリューション（LTE/SAE）のアタッチ過程において、端末（UE）が自分の能力情報を移動性管理実体（MME）に報告し、ホーム加入者サーバ（HSS）が前記MMEから前記UEの能力情報を取得することを含む。
【００５３】
本発明の方法において、前記HSSが前記MMEから前記UEの能力情報を取得するステップは、
前記MMEはUEが送信したUE能力情報付きアタッチ要求を受信した後、HSSに送信する位置更新要求において前記UEの能力情報を備えること、或いは前記HSSはMMEにアタッチ応答を返信した後、MMEにクエリーメッセージを送信し、MMEが前記HSSに返事するクエリー応答において前記UEの能力情報を備えることを含む。
【００５４】
本発明の方法において、前記HSSはIPマルチメディアサブシステム（IMS）登録過程中及び/又はIMS登録過程の後に、前記UEの能力情報をIMSネットワークエレメントに通知する。
【００５５】
本発明の方法において、前記IMSネットワークエレメントはアクセストランスファー制御機能実体（ATCF）及び/又は業務連続性アプリケーションサーバ（SCC AS）を含む。
【００５６】
本発明の方法において、前記UEの能力情報はUEの単一無線音声通信連続（SRVCC）能力を含む。
【００５７】
ネットワーク資源の浪費を減少する技術問題を解決するために、本発明は、さらにホーム加入者サーバ（HSS）を提供し、判断モジュールと情報通知モジュールを備え、
前記判断モジュールはIPマルチメディアサブシステム（IMS）登録過程中或いはIMS登録過程の後前記情報通知モジュールをトリガーすることを判断するように設置されており、
前記情報通知モジュールは端末（UE）の能力情報をIMSネットワークエレメントに通知するように設置されている。
【００５８】
ネットワーク資源の浪費を減少する技術問題を解決するために、本発明は、さらにコア・ネットワークエレメントによる端末能力の取得システムを提供し、該システムは、ホーム加入者サーバ（HSS）と端末（UE）を備え、
前記UEはロングタームエボリューション/システムアーキテクチャエボリューション（LTE/SAE）アタッチ過程中において、自分の能力情報をMMEに報告するように設置されており、
前記HSSは前記MMEから前記UEの能力情報を取得するように設置されている。
【００５９】
ネットワーク資源の浪費を減少する技術問題を解決するために、本発明は、さらに端末を提供し、判断モジュールと能力報告モジュールを備え、
前記判断モジュールはロングタームエボリューション/システムアーキテクチャエボリューション（LTE/SAE）アタッチ過程中に、前記能力報告モジュールをトリガーすることを判断するように設置されており、
前記能力報告モジュールは移動性管理実体（MME）に自分の能力情報を報告するように設置されている。
【００６０】
ネットワーク資源の浪費を減少する技術問題を解決するために、本発明は、さらにコア・ネットワークエレメントによる端末能力の取得システムを提供し、該システムは、端末（UE）、ホーム加入者サーバ（HSS）及びIPマルチメディアサブシステム（IMS）ネットワークエレメントを備え、
前記端末はロングタームエボリューション/システムアーキテクチャエボリューション（LTE/SAE）アタッチ過程中において、自分の能力情報を移動性管理実体（MME）に報告するように設置されており、
前記HSSは移動性管理実体（MME）からUEの能力情報を取得し、及びIMS登録過程中及び/又はIMS登録過程の後において、前記UEの能力情報をIMSネットワークエレメントに通知するように設置されている。
【００６１】
本発明の方法において、前記IMSネットワークエレメントは、アクセストランスファー制御機能実体（ATCF）及び/又は業務連続性アプリケーションサーバ（SCC AS）を備える。
【００６２】
本発明のシステムにおいて、前記IMSネットワークエレメントはさらにサービングコールセッション制御機能（S-CSCF）を備え、
前記HSSはIMS登録過程中において、UEの能力情報をサーバー登録応答によって前記S-CSCFに送信するようにさらに設置されており、
前記S-CSCFは前記UEの能力情報をアクセストランスファー制御機能実体（ATCF）に送信するように設置されている。
【００６３】
本発明のシステムにおいて、前記HSSは前記UEの能力情報をサーバー登録応答メッセージに置かせてS-CSCFに送信するようにさらに設置されており、或いは、
前記HSSはユーザがSRVCC契約を持っていると判断した時、前記UEの能力情報をサーバー登録応答メッセージに記憶させてS-CSCFに送信するように設置されている。
【００６４】
本発明のシステムにおいて、前記S-CSCFは前記UEの能力情報を登録応答メッセージによってATCFに送信するように設置されており、或いは、
前記ATCFはS-CSCFにUE能力への購読を発起するように設置されており、
前記S-CSCFは前記ATCFの購読を受信した後、ATCFに送信する購読通知メッセージにおいてUEの能力情報を備えるようにさらに設置されている。
【００６５】
本発明のシステムにおいて、前記HSSはIMS登録過程中に、前記UEの能力情報をサーバー登録応答によってS-CSCFに送信するようにさらに設置されており、
前記S-CSCFは前記UEの能力情報を取得した後、IMS登録が終わった後、第三者登録過程によって前記UEの能力情報をSCC ASに送信するように設置されている。
【００６６】
本発明のシステムにおいて、前記HSSはIMS登録過程が終わった後、SCC ASの更新応答メッセージによって前記UEの能力情報をSCC ASに送信するようにさらに設置されており、或いは、
前記SCC ASはHSSにUE能力への購読を発起するように設置されており、
前記HSSは前記SCC ASの購読を受信した後、SCC ASに送信する購読通知メッセージにおいてUEの能力情報を備えるようにさらに設置されている。
【００６７】
本発明のシステムにおいて、前記UEの能力情報はUEの単一無線音声通信連続（SRVCC）能力を備える。
【発明の効果】
【００６８】
本発明方法とシステムによれば、HSSに端末能力情報を取得させ、ユーザの多種業務にサービスを提供でき、IMSネットワークエレメントに端末SRVCC能力情報を取得させ、IMSネットワークエレメントは端末がセッション或いはメディアをアンカーする必要があるかどうかを正しく決定することを保証でき、一方ではユーザに良好な体験を提供し、もう一方ではネットワーク資源の浪費を減少できる。
【図面の簡単な説明】
【００６９】
【図１】図1はLTE/SAEにおいてUEをネットワークにアタッチし、且つIMSコールのアーキテクチャを確立する模式図である。
【図２】図2は従来の技術においてLTE/SAEネットワークアタッチを行い、且つその後IMS登録、コールアンカーを行うシグナルフローチャートである。
【図３】図3は本発明実施例1においてUE能力をHSSに報告することを実現するフローチャートである。
【図４】図4は本発明実施例2においてHSSがUE能力をATCFに伝送するシグナルフローチャートである。
【図５】図5は本発明実施例3においてHSSがUE能力をSCC ASに伝送するシグナルフローチャートである。
【図６】図6は本発明実施例4においてHSSがUE能力をSCC ASに伝送するシグナルフローチャートである。
【発明を実施するための形態】
【００７０】
本発明の目的、技術案及びメリットをもっとはっきりさせるため、以下は図面を参考して、本発明の実施例をさらに詳しく説明する。指摘すべきなのは、衝突しない場合に、本出願における実施例及び実施例の特徴が互いに任意に組み合わせることができる。
【００７１】
本出願の発明者の研究により、従来の流れのステップ214において、IMSネットワークエレメントが端末に対して通常にアンカーを行い、そのためアンカーの必要のない端末のセッション或いはメディアもアンカーされる情況が発生し、したがってネットワーク側資源の浪費の現象が発生することを発見した。その同時に、本出願の発明者は、その原因がIMSネットワークエレメントがUEのSRVCC能力情報を知らず、SRVCCを支持するUEをアンカーしないと、SRVCC切替が発生する時の後継のUEの性能とユーザ体験に影響を与えることを避けるため、すべての端末に対してアンカーの措置を用いることであることを発見した。しかし、UEがSRVCC能力を持たないと、UEはセッションを確立した後SRVCC切替流れを発起することが不可能であり、この時アンカーしたセッション及びメディアを使用できない状況が出現し、ネットワーク側の資源を浪費する。したがって、本発明実施例は、セッションを確立する前或いは確立する時、IMSネットワークエレメント（例えばATCF及び/又はSCC AS）にUEのSRVCC能力情報を知らせ、UEのセッションをアンカーする必要があるかどうかを正しく判断させることを考えている。
【００７２】
本発明実施例において、IMS登録過程中及び/又はIMS登録過程の後に、HSSによってUEの能力情報をIMSネットワークエレメントに通知する。
【００７３】
UEの能力情報はUEのSRVCC能力情報、及び他のUEと関係がある能力情報、例えばIMSセントラルサービス（IMS Centralized Services、ICS ）能力情報など、を備える。
【００７４】
UE能力は参照情報の1つとして、IMSネットワークエレメントがセッションをアンカーする必要があるかどうかを判断することに協力し、ネットワーク資源の浪費を避け、及びUEの切り替え中の音声中断が長くてユーザ体験に悪い影響を与えることを避ける。
【００７５】
HSSは以下の方式によってUEの能力情報を取得でき、即ち、LTE/SAEアタッチ過程中に、UEが自分の能力情報をMMEによってHSSに報告し、或いは、前記UEがMMEに送信するアタッチ要求に自分の能力情報を備え、前記HSSがアタッチ要求を受信し、MMEにアタッチ応答を返信した後、MMEにクエリーメッセージを送信し、MMEがHSSに返信するクエリー応答に前記UEの能力情報を備える。
【００７６】
HSSによるUE能力情報の取得はUEのUE能力に関連する各種の業務をサービスすることができる。UEのシングル無線（Single Radio）或いはデュアル無線（Dual Radio）能力を例として、シングル無線UEはUEが同一時刻に、1つのアクセスネットワーク、例えばUTRAN、或いはE-UTRANにしか駐在できないことを指し、デュアル無線UEはUEが同一時刻に、多種のアクセスネットワーク（一般的に2種を指す）、例えば無線LAN(Wireless Local Area Network、WLANと略称する)とUTRANなどに駐在できることを指す。UEの能力情報によって、HSSはUEがシングル無線或いはマルチ無線端末であるかどうかを判断でき、従って、UEの現在に位置するネットワークを正確に判断できるかどうかを決定し、UEに終端アクセスドメイン選択（Termination Access Domain Selection）を正確に行うことを保証する。
【００７７】
その上、また様々な他の面に応用されるができる。要するに、HSSによるUE能力の取得はユーザの様々な業務にサービスを提供できる。
【００７８】
具体的に、HSSは以下の3つの方式のいずれか1つによってUE能力情報をIMSネットワークエレメントに通知することができる。
【００７９】
●IMS登録過程中に、HSSはUEの能力情報をサーバー登録応答によってS-CSCFに送信し、前記S-CSCFによって前記UEの能力情報をATCFに送信し、
そのうち、HSSがUEの能力情報をサーバー登録応答によってS-CSCFに送信するステップは、前記HSSはS-CSCFが送信したサーバー登録要求を受信した後、UEの能力情報をサーバー登録応答メッセージに置かせてS-CSCFに送信すること、或いは前記HSSはS-CSCFが送信したサーバー登録要求を受信した後、ユーザがSRVCC契約を持っていると判断した後、UEの能力情報をサーバー登録応答メッセージに置かせてS-CSCFに送信することを含む。
【００８０】
そのうち、S-CSCFによってUEの能力情報をATCFに送信するステップは、
前記S-CSCFはHSSが送信したUE能力情報付きサーバー登録応答メッセージを受信した後、ATCFに登録応答メッセージを送信し、且つ前記登録応答メッセージに前記UEの能力情報を備えること、或いは、前記S-CSCFは通知メッセージによって前記UEの能力情報をATCF（前記ATCFはS-CSCFにUE能力への購読を発起し、前記S-CSCFがATCFに送信する購読通知メッセージにおいてUEの能力情報を備える）に送信することを含む。
【００８１】
●IMS登録過程中に、HSSがUEの能力情報をサーバー登録応答によってS-CSCFに送信し、前記S-CSCFが前記UEの能力情報を取得した後、前記IMS登録過程が終わった後、前記UEの能力情報をSCC ASに送信し、
そのうち、前記S-CSCFがUEの能力情報をSCC ASに送信するステップは、前記S-CSCFが第三者登録過程によってUEの能力情報をSCC ASに送信することを含む。
【００８２】
●IMS登録過程が終わった後、HSSがSCC ASの更新応答メッセージによって或いは通知メッセージによって前記UEの能力情報をSCC AS（前記SCC ASはHSSにUE能力への購読を発起し、前記HSSがSCC ASに送信する購読通知メッセージにおいてUEの能力情報を備える）に送信する。
【００８３】
本実施例において、前記方法を実現するHSSは、判断モジュールと情報通知モジュールを備え、そのうち、
前記判断モジュールはIMS登録過程中或いはIMS登録過程の後に前記情報通知モジュールをトリガーすることを判断するように設置されており、
前記情報通知モジュールはUEの能力情報をIMSネットワークエレメントに通知するように設置されている。
【００８４】
本実施例において、HSSによる端末能力の取得システムは、ホーム加入者サーバ（HSS）と端末（UE）を備え、そのうち、
前記UEはロングタームエボリューション/システムアーキテクチャエボリューション（LTE/SAE）アタッチ過程中において、自分の能力情報をMMEに報告するように設置されており、
前記HSSは前記MMEから前記UEの能力情報を取得するように設置されている。
【００８５】
本実施例において、能力情報の報告を実現する端末は、判断モジュールと能力報告モジュールを備え、そのうち、
前記モジュールはLTE/SAEアタッチ過程中に前記能力報告モジュールをトリガーすることを判断するように設置されており、
前記能力報告モジュールはMMEに自分の能力情報を報告するように設置されている。
【００８６】
本実施例において、IMSネットワークエレメントによる端末能力の取得を実現するシステムは、UE、HSS及びIMSネットワークエレメントを備え、そのうち、
前記端末はLTE/SAEアタッチ過程中において、自分の能力情報をMMEに報告するように設置されており、
前記HSSはMMEからUEの能力情報を取得し、及びIMS登録過程中及び/又はIMS登録過程の後に、前記UEの能力情報をIMSネットワークエレメントに通知するように設置されている。
【００８７】
前記IMSネットワークエレメントはATCF及び/又はSCC ASを備える。
【００８８】
好ましくは、前記IMSネットワークエレメントはさらにS-CSCFを備え、前記HSSはIMS登録過程中において、UEの能力情報をサーバー登録応答によって前記S-CSCFに送信するようにさらに設置されており、前記S-CSCFは前記UEの能力情報をATCFに送信するように設置されている。
【００８９】
好ましくは、前記HSSは前記UEの能力情報をサーバー登録応答メッセージに置かせてS-CSCFに送信するようにさらに設置されており、或いは、前記HSSはユーザがSRVCC契約を持っていると判断した時、前記UEの能力情報をサーバー登録応答メッセージに記憶してS-CSCFに送信する。UEの能力情報はサーバー登録応答メッセージにおけるSRVCC契約データに記憶することができる。
【００９０】
好ましくは、前記S-CSCFは前記UEの能力情報を登録応答メッセージによってATCFに送信するように設置される。或いは、前記ATCFはS-CSCFにUE能力への購読を発起するように設置されており、前記S-CSCFは前記ATCFの購読を受信した後、ATCFに送信する購読通知メッセージにおいてUEの能力情報を備えるようにさらに設置される。
【００９１】
好ましくは、前記HSSはIMS登録過程中に、前記UEの能力情報をサーバー登録応答によってS-CSCFに送信するようにさらに設置されており、前記S-CSCFは前記UEの能力情報を取得した後、IMS登録が終わった後、第三者登録過程によって前記UEの能力情報をSCC ASに送信するように設置されている。
【００９２】
好ましくは、前記HSSはIMS登録過程が終わった後、SCC ASの更新応答メッセージによって前記UEの能力情報をSCC ASに送信するようにさらに設置されており、或いは、前記SCC ASはHSSにUE能力への購読を発起するように設置されており、前記HSSは前記SCC ASの購読を受信した後、SCC ASに送信する購読通知メッセージにおいてUEの能力情報を備えるようにさらに設置されている。
【００９３】
以下、図面と実施例によって前記選択的にセッションをアンカーすることを実現する方法を詳しく説明し、下記実施例においてIMSネットワークエレメントによるUEのSRVCC能力情報の取得を例をとして説明し、他の能力情報を送信する方法はこれと類似し、本文では多弁しない。
【００９４】
実施例1
本実施例において、LTE/SAEアタッチ過程中に、UEは自分のSRVCC能力情報をMMEによってHSSに報告する。図3は本発明の実施例1においてUE能力をHSSに報告することを実現するフローチャートである。本実施例は、
ステップ301、UEは現在駐在するネットワークLTE/SAEにおいて、MMEにEPSアタッチ要求を発起し、アタッチ要求において、UEは自分のSRVCC能力情報を備え、MMEに該UEのSRVCC能力を有するかどうかを通知することと、
ステップ302、MMEはHSSに位置更新要求を発起することと、
ステップ302において、MMEはUEのSRVCC能力情報を備えることと、
ステップ303、HSSはMMEに位置更新応答を返信し、且つ関連するユーザのLTE/SAE契約データを備えることと、
ステップ304、MMEはUEにアタッチ受信要求を返信することを含む。
【００９５】
HSSはさらに他の方式によってUEの能力情報を取得できる。MMEが発起したLTE/SAEアタッチメッセージにUEの能力情報を備えないと、アタッチ過程後に、HSSはMMEにUEの能力情報を主動的にクエリーでき、MMEがHSSのクエリー要求を受信した後、HSSにクエリー相応を返信し、UEの能力情報を備える。
【００９６】
HSSが端末の能力情報を取得した後、ユーザの多種業務にサービスを提供することができる。その他、HSSはUEの能力情報をIMSネットワークエレメントに送信でき、ネットワーク資源の浪費を避け、及びUEの切り替え中の音声中断が長くてユーザ体験に悪い影響を与えることを避ける。HSSは後継の実施例2、3及び4のいずれかの方法によってUEのSRVCC能力情報をIMSネットワークエレメントに送信することができる。
【００９７】
実施例2
本実施例において、ユーザがUEによって実行されるIMS登録過程中に、HSSは該ユーザが現在使用するUEのSRVCC能力情報をサーバー登録応答によってS-CSCFに送信し、前記S-CSCFによって該UEのSRVCC能力情報をATCF（サーバー登録応答、或いは専門の通知メッセージによって）に送信する。図4は、本発明実施例2において、ATCFがUEのSRVCC能力を取得することを実現するシグナルフローチャートである。本実施例は、
ステップ401、UEはLTE/SAEにおいてIMS登録要求を発起し、該登録要求メッセージがATCFに到達することと、
ステップ402、ATCFは登録要求メッセージをユーザアクセス先のS-CSCFに送信することと、
ステップ403、S-CSCFはHSSへの登録過程を発起するようにHSSにサーバー登録要求を発起することと、
ステップ404、HSSはS-CSCFにサーバー登録応答を返信し、UEの能力情報を備え、
ステップ404のUE能力情報はUEがSRVCC能力を持っているかどうかであり、HSSは該能力情報をUEを使用するユーザのSRVCC契約データに記憶でき、サーバー登録応答メッセージによってS-CSCFに送信し、或いは、前記HSSは契約データによってユーザがSRVCC契約を持っていると判断した後にしか、UEのSRVCC能力情報を契約データに記憶してS-CSCFに送信せず、或いは直接にサーバー登録応答メッセージに記憶してS-CSCFに送信することと、
ステップ405、S-CSCFはATCFに登録応答メッセージ（成功または失敗）を返信し、UEのSRVCC能力情報を備えることと、
ステップ406、ATCFはUEに登録応答メッセージを返信し、
ATCFはさらにもう1つの方式によって、即ちステップ405の登録成功（この時登録成功のメッセージにはUEのSRVCC能力情報がない）を受信した後、UEのSRVCC能力情報を取得できることと、
ステップ407、ATCFはS-CSCFに購読メッセージを発起し、UEのSRVCC能力情報を購読することと、
ステップ408、S-CSCFはATCFに通知メッセージを送信し、UEのSRVCC能力情報を備えることを含む。
【００９８】
実施例3
本実施例において、ユーザがUEによって実行されるIMS登録過程中に、HSSは該ユーザが現在使用するUEのSRVCC能力情報をサーバー登録応答によってS-CSCFに送信し、前記S-CSCFが該UEのSRVCC能力情報を取得した後、IMS登録が終わった後、該UEのSRVCC能力情報をSCC AS（例えば第三者登録過程によって）に送信する。図5は、本発明実施例3において、SCC ASがUE SRVCC能力を取得することを実現するシグナルフローチャートである。本実施例は、
ステップ501、UEはLTE/SAEにおいてIMS登録要求を発起し、該登録要求メッセージがATCFに到達することと、
ステップ502、ATCFは登録要求メッセージをユーザアクセス先のS-CSCFに送信することと、
ステップ503、S-CSCFはHSSへの登録過程を発起するようにHSSにサーバー登録要求を発起することと、
ステップ504、HSSはS-CSCFにサーバー登録応答を返信し、UEの能力情報を備えることと、
ステップ505、S-CSCFはイニシャルフィルタクライテリアiFCによってSCC ASに第三者登録を発起し、登録メッセージにおいてUEのSRVCC能力情報を備えることを含む。
【００９９】
実施例4
本実施例において、ユーザがUEによって実行されるIMS登録過程が終わった後、HSSは該ユーザが現在使用するUEのSRVCC能力情報をSCC AS（SCC ASの更新応答、或いは専門の通知メッセージによって）に送信する。図6は、本発明実施例4において、SCC ASがUE SRVCC能力を取得することを実現するシグナルフローチャートである。本実施例は、
ステップ601、UEはLTE/SAEにおいてIMS登録要求を発起し、該登録要求メッセージがATCFに到達することと、
ステップ602、ATCFは登録要求メッセージをユーザ訪問地のS-CSCFに送信し、ATCFは該ユーザにvSTN-SRを割り当て、ステップ602において該vSTN-SRを加えることと、
ステップ603、S-CSCFはHSSにHSSへの登録過程を発起するようにサーバー登録要求を発起することと、
ステップ604、HSSはS-CSCFにサーバー登録応答を返信することと、
ステップ605、S-CSCFはイニシャルフィルタクライテリアiFCによってSCC ASに第三者登録を発起し、登録メッセージにおいてvSTN-SRを備えることと、
ステップ606、SCC ASはHSSにvSTN-SRの過程の更新を発起し、HSSに保存されるSTN-SRをステップ605に携えられるvSTN-SRに修正することと、
ステップ607、HSSはSCC ASに更新応答を返信し、且つUEのSRVCC能力情報を備え、SCC ASはさらにもう1つの方式によってUEのSRVCC能力情報を取得することと、
ステップ608、SCC ASはHSSに購読メッセージを発起し、UEのSRVCC能力情報を購読することと、
ステップ609、HSSはSCC ASに購読通知メッセージを発起し、UEのSRVCC能力情報を備えることを含む。
【０１００】
当業者は上記方法の全部或は一部のステップがプログラムを用いて関連ハードウェアに対して命令を出し、完成させることができ、上記プログラムはコンピューターの可読記憶媒体、例えば読み出し専用メモリ、磁気ディスク或は光ディスク等に記憶できると理解可能である。上述実施例の全部或は一部のステップは1つ或は複数の集積回路を使用することで実現するという選択肢もある。それに対応し、上述実施例における各モジュール/ユニットはハードウェア形式で実現でき、またソフトウェアの機能モジュール形式でも実現できる。本発明は如何なる特定した形式のハードウェアとソフトウェアの結合にも限定されない。
【０１０１】
当然、本発明はさらにほかの多種の実施例を有することができ、本発明の精神及びその本質から脱逸しない範囲で、本分野に詳しい当業者は本発明によって各種の相応の変更及び変形を行なうことができ、ただし、これらの相応の変更及び変形はいずれも本発明に添付する請求の範囲に属する。
【産業上の利用可能性】
【０１０２】
本発明はHSSに端末能力情報を取得させ、ユーザの多種業務にサービスを提供でき、IMSネットワークエレメントに端末SRVCC能力情報を取得させ、IMSネットワークエレメントは端末がセッション或いはメディアをアンカーする必要があるかどうかを正しく決定することを保証でき、一方ではユーザに良好な体験を提供し、もう一方ではネットワーク資源の浪費を減少できる。
【図１】
2013528993.tif 000003
【図２】
2013528993.tif 000004
【図３】
2013528993.tif 000005
【図４】
2013528993.tif 000006
【図５】
2013528993.tif 000007
【図６】
2013528993.tif 000008
【国際調査報告】
2013528993.tif 000009
2013528993.tif 000010
2013528993.tif 000011
2013528993.tif 000012
2013528993.tif 000013